(57)【要約】【課題】  従来の足先だけを暖める足温器は脚上部まで暖まらないので、体感的に寒さを払拭出来ない。本発明は足先から上方脚部分までを温める足温器を提供する事にある。【解決手段】  足を温める面に発熱体（ヒータ５、ヒータ６など）を有し、外側面に前記発熱体を発熱する為の電源接続用二次側プラグ受け７を設け、足温器の最上部から足首近くまで切り込み３を有し、かつ、前記切り込み近傍の外側面を連結する為のフラップ４を有する長靴形状の足温器を提供する事により、この課題を解決する。【選択図】図１
2009178289.tif 000002
【特許請求の範囲】
【請求項１】
内面側に発熱体を有し、外側面に前記発熱体を発熱する為の電源接続用プラグ受けを設けた事を特徴とする長靴形状の足温器。
【請求項２】
前記足温器は、その最上部から足首近くまで切り込みを有し、かつ、前記切り込み近傍の外側面を連結するためのフラップ部を有する事を特徴とする請求項１記載の足温器。
【請求項３】
前記フラップと、前記フラップと連結される外側面との間にはマジックテープ（登録商標）が設けられている事を特徴とする請求項２記載の足温器。
【請求項４】
前記プラグ受けを長靴形状の足温器の上部に設置した事を特徴とする請求項１乃至請求項３のいずれかに記載の足温器。
【発明の詳細な説明】
【技術分野】
【０００１】
本発明は、電気式足温器に関するもの。長靴形状とし、発熱体を配置して、例えば脚全体を暖める足温器に関する。
【背景技術】
【０００２】
従来から、冷えた足を暖める電気式足温器として、ヒータ等の発熱体を内装した平面マット型がある。この例として特許文献１〜特許文献３に開示されたものがある。
【０００３】
【特許文献１】特開平０９−１７３３７４号公報
【特許文献２】特開平０８−０７１０９７号公報
【特許文献３】特開平０７−２３１９０７号公報
【発明の開示】
【発明が解決しようとする課題】
【０００４】
従来の足温器は寒い環境の中で、冷えた足先を暖めていた。しかし脚部の足首〜膝〜太ももが温まらず、足の冷えは解消しない。
【０００５】
従来の足温器は足先より上部が暖まらない故に、ひざ掛けや毛布等で脚全体を包んで足先だけの暖房を補う事になるが、足温中に急な電話、来客等で歩行の必要が発生した場合には、脚全体を包んでいたひざ掛けや毛布等を外す動作が面倒である。
【０００６】
又、従来の足温器は、足温器の設置場所に椅子等を置いて使用する。従い、使用するには足温器を設置した特定の場所に限定され、指定席になり、場所を独占してしまう。
【０００７】
そこで本発明はこのような問題点を解決する。
【課題を解決するための手段】
【０００８】
この課題を解決する為の請求項１の発明は、足温器を長靴形状とし、足を温める面に、又は内面側に発熱体を有し、外側面に前記発熱体を発熱する為の電源接続用プラグ受けを設けたものである。例えば、足温器の胴体部と足先収納部にヒータ等の発熱体を配置する事で、冷えた足先を含めて脚全体を暖める事を特徴とする足温器である。
【０００９】
本発明の足温器は長靴形状であるので、履いたままで場所を移動出来て、自由な場所で使用出来る。
【００１０】
又、請求項２の発明は、前記足温器は、その最上部から足首近くまで切り込みを有し、かつ、前記切り込み近傍の外側面を連結するためのフラップ部を有するものである。例えば、足温器の胴体部の最上部から足首近く迄切り込みを設けて、切り込みの一方又は双方に切り込みを境界とした相手の胴体部に重ね合わせる事が出来る長さを持ったフラップを有し、足を出し入れする際は前記フラップを外側に開いて足温器上方の開口部を大きく広げて、足の出し入れを容易にする。
【００１１】
請求項３の発明は、前記フラップと、前記フラップと連結される外側面との間にはマジックテープ（登録商標）が設けられているものである。あるいは前記フラップはマジックテープ(登録商標)を有し、前記フラップと連結される外側面には前記マジックテープ(登録商標)と結合するマジックテープ(登録商標)を有するものである。例えば、前記フラップに横長のマジックテープ（登録商標）を設置すれば、足を挿入する時に開いたフラップを、使用者によって異なる脚周りサイズに合わせて結合出来る事を特徴とする足温器である。
【００１２】
請求項３の発明では、前記フラップをワンタッチで開閉して、足温器から速やかに足を着脱出来る。
【００１３】
請求項４の発明は、前記プラグ受けを長靴形状の足温器の上部に設置したものである。例えば、プラグ受けを手元に近い足温器の最上部近くに付帯させて、差込プラグの脱着を容易にした事を特徴とする足温器である。
【発明の効果】
【００１４】
本発明により、足先だけでなく脚全体（例えば、ふくらはぎから下部、ひざ下全体、あるいは太ももから下全体）を暖めることが出来るので、冷気を防ぐ目的のひざ掛けや毛布等は不要になる。
【００１５】
足温器胴体部の長さを、温めようとする身体の部位によって任意な長さに展開出来る。更に、ズボン型への展開も可能である。
【００１６】
足温器の胴体部に切り込みを形成すれば、足温器の開口部を広く取れて足の出し入れが容易になる。又、切り込みの一方又は双方には、切り込みを境界とした相手の胴体部に重ね合わせる事が出来る長さを有するフラップにマジックテープ(登録商標)を設けて、相手胴体部にマジックテープ(登録商標)を付帯させる事で、素早い結合又は開放が出来る。又、フラップを相手胴体部に重ね合わせて連結する事により、切り込みの形成で発生する隙間を無くする事が出来る。
【００１７】
前記マジックテープ(登録商標)の形状を横長にすれば、挿入した使用者の脚周りサイズに合わせて隙間無く、結合出来る。ズボンなどを着用したままであっても、ズボンの裾の外側から包み込んでの結合が可能である。
【００１８】
本発明の足温器は、長靴を履いた時の感覚で、履いた状態のまま、いずれの場所にも移動、そして使用が出来る。  
【００１９】
長靴形状足温器の最上部近くにプラグ受けを設置すれば手元に近く、容易に差込プラグを着脱出来て、緊急時には足温器が長靴形状である故に足温器本体を履いたままでも歩行が出来る。
【００２０】
差込プラグを抜いて、発熱体への通電が遮断された直後の足温器は、余熱で暖かく、時間を掛けて徐々に冷えるので、履いたまま歩行した場合は、足温器を脱いで冷たい床上等を歩行するのに比べて健康に良い。
【００２１】
更に、図示しない断熱性の高い材料を使ったスリッパ等を重ねて履けば、発熱体への通電が遮断された場合の足温器本体の余熱温度は下がり難く、保温を長く保つ事が出来る。
【発明を実施するための最良の形態】
【００２２】
図１の実施の形態は、長靴形状の足温器本体で、本体は胴体部１と足先収納部２から成り、胴体部１は最上部から足首位置近く迄切り込み３が有る。図１は切り込み３の一部を形成するフラップ４の上方を開いて説明用の状態にしている。
【００２３】
胴体部１の内面側（例えば、胴体部１の内面布地の内部）と足先収納部２の内面側（例えば、足先収納部２の内面布地の内部）にはヒータ５とヒータ６を配置している。
【００２４】
胴体部１の最上部近くには二次側プラグ受け７を付帯させて、図２の二次側差込プラグ１５を差し込む事により、図２の一次側差込プラグ１１から受けた電力を  ヒータ５とヒータ６部分へ供給する。
【００２５】
フラップ４には、雄又は雌のマジックテープ（登録商標）の一方８を設けてあり、切り込み３を境界とした相手胴体部９には、雄又は雌のマジックテープ(登録商標)の他方１０を設けてある。マジックテープ(登録商標)の一方８とマジックテープ(登録商標)の他方１０は必要に応じた横長の長さを取り、合わせ位置をずらせて連結する事により、足温器本体の最上部の開口広さを、使用者の脚周りサイズに合わせて結合出来る。その結果、足温器内の温まった空気を外に逃がさない効果に繋がる。又、歩行時には足温器のずり落ちを防ぐ効果がある。
【００２６】
マジックテープ(登録商標)の代わりに紐等での結束であっても同様の効果が期待出来る。
【００２７】
図２は、足温器の電気系統の配置図であり、コントローラ側の構成を示す図。図示しない供給電源側から一次側差込プラグ１１及び一次側コード１２を経て図１のヒータ５とヒータ６部分の温度を設定する為のダイヤル１６を有するコントローラ１３から２本の各二次側コード１４を配置する。
【００２８】
前記各二次側コード１４の先端には図１の足温器本体の二次側プラグ受け７に接続する二次側差込プラグ１５を有している。
【００２９】
図３は、本発明装置の全体図であって、図１のフラップ４に配置するマジックテープ(登録商標)の一方８を相手胴体部９のマジックテープ(登録商標)の他方１０に貼り合わせて閉じた状態図である。
【００３０】
図３は、より詳しくは図２の二次側差込プラグ１５を図１の二次側プラグ受け７に装着した状態図である。
【産業上の利用可能性】
【００３１】
脚の上部（例えば、ふくらはぎ、ひざ、あるいは太もも）まで暖まるので、家庭で簡易的に足湯気分を味わう娯楽用途にも適用できる。
【図面の簡単な説明】
【００３２】
【図１】足温器本体の構成と使用法を示した説明図である。
【図２】コントローラ側の構成を示す図である。
【図３】足温器本体とコントローラ側を組み合わせた全体説明図である。
【符号の説明】
【００３３】
１    胴体部
２    足先収納部
３    切り込み
４    フラップ
５    ヒータ
６    ヒータ
７    二次側プラグ受け
８    マジックテープ(登録商標)の一方
９    相手胴体部
１０    マジックテープ(登録商標)の他方
１１    一次側差込プラグ
１２    一次側コード
１３    コントローラ
１４    二次側コード
１５    二次側差込プラグ
１６    ダイヤル
【図１】
2009178289.tif 000003
【図２】
2009178289.tif 000004
【図３】
2009178289.tif 000005